(57)【要約】【課題】  どのような処理によって作成（保存）された画像かの判別が容易に行え、検索が容易にする。【解決手段】  ＭＦＰの内臓メモリ（ＨＤＤ）に画像データを入力、保存する際に、入力機器、デバイス（スキャナ、ＦＡＸ、ＰＣ、メモリカード、カメラ、携帯電話）の情報を画像データと一緒に保存し、ＭＦＰの内臓メモリ（ＨＤＤ）内から画像データを検索する際に、入力機器、デバイスの情報によって検索する。【選択図】  図１
2007074543.tif 000002
【特許請求の範囲】
【請求項１】
原稿を光学的に読取るスキャナ部、着脱可能な外部メモリと接続するインターフェース部、通信回線に接続され通信機能を有する通信部など複数の画像データ入力部を有し、前記入力部から入力された画像データを画像データファイルとして保存、蓄積する内蔵メモリを有する画像処理装置において、
前記各々の入力部から入力された画像データがどの入力部から入力されたかの入力デバイス情報を画像データファイルに対応付けて前記内蔵メモリに保存する保存手段と、
前記保存手段によって保存されている画像データファイルを検索する際に、前記入力デバイス情報を検索情報として用いて検索する検索手段とを有することを特徴とする画像処理装置。
【請求項２】
内臓メモリに保存されている画像データファイルを表示する表示手段を更に有し、
前記検索手段によって検索された画像データファイルを前記表示手段によって順次表示することを特徴とする請求項１に記載の画像処理装置。
【発明の詳細な説明】
【技術分野】
【０００１】
本発明は、複数の画像データ入力部を備え、各々の入力部から入力した画像データを内臓メモリに保存する機能を有する画像処理装置に関する。
【背景技術】
【０００２】
最近、スキャナ、プリンタ、ＦＡＸなどが一体となったデジタル複合機（以下ＭＦＰ）に記憶媒体を挿入したり、デジタル・スチル・カメラ（以下DSC）を直接MFPに接続することで、様々な入力手段によって画像データを取り込み、印刷する機能を搭載したMFPが登場している。さらにMFPにハードディスクなど大容量内臓メモリを搭載することで、様々な入力手段によって取り込んだ画像データをファイルとして内蔵メモリに保存し、保存された画像データファイルを再度読み出して印刷、FAX送信などの再利用する需要が高まってきている。
【０００３】
これに伴って、保存された大量の画像データファイルから所望の画像データファイルを検索する手段に関する様々な提案がなされている。
【０００４】
特開2001-169069号公報には、ファイル蓄積を可能とするデジタル複合機において、入力された画像情報と画像情報の処理に係わるジョブ情報又はページ情報と対応付けてファイル蓄積し、ファイル検索時にジョブ情報又はページ情報を検索情報として用いることを特徴としている。
【特許文献１】特開2001-169069号公報
【発明の開示】
【発明が解決しようとする課題】
【０００５】
しかし、特許文献１の方法では、例えばコピー動作の情報であればコピー部数、両面モードなどでの検索や、FAX動作の場合は相手先電話番号、相手先名称などで検索を行うことが可能であるが、この方法では、検索のためのキーワードの入力操作をテンキーなどで行わせる必要があり操作が煩雑である。また、入力機器、入力デバイスが多いMFPの特徴を活かした検索が行えない。
【０００６】
本発明では、入力機器、入力デバイスが多数存在するMFPにおいて、より簡単な操作で検索を可能とすることを目的としている。
【課題を解決するための手段】
【０００７】
原稿を光学的に読取るスキャナ部、着脱可能な外部メモリと接続するインターフェース部、通信回線に接続され通信機能を有する通信部など複数の画像データ入力部を有し、前記入力部から入力された画像データを画像データファイルとして保存、蓄積する内蔵メモリを有するデジタル複合機において、
前記各々の入力部から入力された画像データがどの入力部から入力されたかの入力デバイス情報を画像データファイルに対応付けて前記内蔵メモリに保存する保存手段と、前記保存手段によって保存されている画像データファイルを検索する際に、前記入力デバイス情報を検索情報として用いて検索する検索手段とを有し、入力部から入力された画像データがどの入力部から入力されたかの入力デバイス情報を画像データファイルに対応付けて前記内蔵メモリに保存し、保存された画像データファイルを検索する際に、入力デバイス情報を入力してこれを検索情報として検索を行うことを特徴とする画像処理装置である。
【０００８】
また、内臓メモリに保存されている画像データファイルを表示する表示手段を有し、前記検索手段によって検索された画像データファイルを前記表示手段によって順次表示することを特徴とする画像処理装置である。
【発明の効果】
【０００９】
以上説明したように、本発明によれば、内臓あるいは接続可能な入力機器、入力デバイスが多数あるMFPにおいて、様々な入力手段によって取り込んだ画像データをファイルとして内蔵メモリに保存し、保存された内蔵メモリ内の膨大な画像データファイルから所望の画像データファイルを検索する方法として、入力機器、入力デバイスの情報のような明確かつ簡単なキーワードで検索を可能とすることで、ユーザーの操作性、利便性を向上させることでMFPの操作性を向上させること可能とする。
【発明を実施するための最良の形態】
【００１０】
次に、本発明の詳細を実施例の記述に従って説明する。
【実施例１】
【００１１】
以下、図面を参照して本発明における一実施例を説明する。
【００１２】
図１は、本発明を適用したMFP装置の概略構成を示すブロック図である。
【００１３】
MFP装置１００において、ＣＰＵ１０１は、システム制御部であり、MFP装置１００の全体を制御する。
【００１４】
ＲＯＭ１０２は、ＣＰＵ１０１が実行する制御プログラムや組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１５】
ＲＡＭ１０３は、ＳＲＡＭ（ｓｔａｔｉｃ ＲＡＭ）等で構成され、プログラム制御変数等を格納し、また、オペレータが登録した設定値やMFP装置１００の管理データ等を格納し、各種ワーク用バッファ領域が設けられている。
【００１６】
画像メモリ１０４は、ＤＲＡＭ（ｄｙｎａｍｉｃ ＲＡＭ）等で構成され、画像データを蓄積する。
【００１７】
データ変換部１０５は、ページ記述言語（ＰＤＬ）等の解析や、キャラクタデータのＣＧ（ｃｏｍｐｕｔｅｒ ｇｒａｐｈｉｃｓ）展開等、画像データの変換を行う。
【００１８】
読取制御部１０６は、読取部１０７が、CCDやCISなどによって構成され、原稿を光学的に読み取り、電気的な画像データに変換した画像信号を、図示しない画像処理制御部を介して、２値化処理や中間調処理等の各種画像処理を施し、高精細な画像データを出力する。なお、上記実施例では、読取制御部１０６は、原稿を搬送しながら読み取りを行うシート読取制御方式と、原稿台にある原稿をスキャンするブック読取制御方式の両制御方式に対応している。
【００１９】
操作部１０８は、数値入力キー、文字入力キー、ワンタッチ電話番号キー、モード設定キー、決定キー、取り消しキー等を備え、オペレータが画像送信相手先データの決定や設定データの登録動作を行う。
【００２０】
表示部１０９は、ＬＥＤ（発光ダイオード）とＬＣＤ（液晶ディスプレイ）等によって構成され、操作部１０８によりオペレータによる各種入力操作の表示や、MFP装置１００の動作状況、ステータス状況の表示や、画像メモリ１０４に蓄積された画像データの表示等を行う。
【００２１】
通信制御部１１０は、ＭＯＤＥＭ（変復調装置）や、ＮＣＵ（網制御装置）等によって構成されている。上記実施例では、通信制御部１１０は、アナログの通信回線（ＰＳＴＮ）１３１に接続され、Ｔ３０プロトコルでの通信制御、通信回線に対する発呼と着呼等の回線制御を行っている。
【００２２】
解像度変換処理部１１１は、画像データのミリ−インチ解像度変換等の解像度変換制御を行う。なお、解像度変換部１１１において、画像データの拡大縮小処理も可能である。
【００２３】
符号復号化処理部１１２は、MFP装置１００で扱う画像データ（ＭＨ、ＭＲ、ＭＭＲ、ＪＢＩＧ、ＪＰＥＧ等）を符号復号化処理したり、拡大縮小処理を行う。
【００２４】
記録制御部１１３は、印刷される画像データに対し、図示しない画像処理制御部を介して、スムージング処理や記録濃度補正処理、色補正等の各種画像処理を施し、印刷用の画像データに変換し、画像メモリ１０４に蓄積する。また、定期的に記録部１１４の状態情報データを取得する役割も果たす。
【００２５】
記録部１１４は、レーザビームプリンタやインクジェットプリンタ等からなる印刷装置であり、記録制御部１１３で変換され画像メモリ１０４に蓄積された印刷用の画像データを取り出し、カラー画像データ、またはモノクロ画像データを印刷部材に印刷する。
【００２６】
ＵＳＢファンクション制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行ったり、逆に、外部の情報処理端末からのＵＳＢパケットを、データに変換してＣＰＵ１０１に対し送信を行ったりする。
【００２７】
ＵＳＢホスト制御部１１６は、ＵＳＢ通信規格で定められたプロトコルで通信を行う為の制御部である。ＵＳＢ通信規格は、双方向のデータ通信を高速に行うことが出来る規格であり、１台のホスト（マスター）に対し、複数のハブまたはファンクション（スレーブ）を接続することが出来る。ＵＳＢホスト制御部１１６は、ＵＳＢ通信におけるホストの機能を有する。
【００２８】
メモリカードスロット１１７は、ＵＳＢインタフェースを介してＵＳＢホスト制御部１１６に接続されており、着脱可能なメモリカードが装着される。
【００２９】
メモリカード制御部１１８は、メモリカードスロット１１７装着されたメモリカードに格納されているデータファイルにアクセスし読み出すことが可能である。
ハードディスク１２０は、画像データファイル等の保存、蓄積を行う大容量の内蔵メモリである。
【００３０】
図２は、本ＭＦＰ装置１００の操作部１０８、表示１０９の外観構成図であり、ＭＦＰの動作モードを指定するためのモードキー５０７、各種設定モードへ入るためのメニューキー５０２、設定項目の移動や値の変更に使用する上下左右キー５０６、設定入力キーである決定キー５０５と、コピーやスキャンなどの各種ジョブの開始させるためのスタートキー５０３およびジョブのキャンセルや設定のリセットに使用するキャンセルキー５０４からなる。
【００３１】
図３は、メモリカードをハードディスク１２０に保存するメモリカード保存処理を示すフローチャートである。
【００３２】
メモリカードスロット１１７に装着されたメモリカード内の画像データファイルの中からハードディスク１２０に保存したいファイルを選択して読み出す（S101）。次に、S101で読み出した画像データファイルをハードディスク１２０に保存する（S102）。S102で保存した画像データファイルのファイルIDと入力デバイス情報であるメモリカードを示すコードデータを対応付けてハードディスク１２０上のテーブルに保存する（S103）。メモリカード内の画像データファイルのうち保存したいファイルを全て保存したなどで保存を終了するかどうかを判断し（S104）、終了する場合には終了し、保存を終了しない場合には次のファイルを選択する（S105）。
【００３３】
図４は、ハードディスク１２０に保存してある画像データファイルを検索するファイル検索処理を示すフローチャートである。
【００３４】
ハードディスク１２０に保存してある画像データファイルを検索する際の情報として検索したい画像ファイルデータの入力デバイス情報（例えばメモリカード）を操作部１０８から選択する（S201）。次に、S201で選択した入力デバイス情報とS103で保存したテーブルの中の入力デバイス情報とを比較する（S202）。比較した結果同じ入力デバイス情報かどうかを判断し（S203）、同じだった場合には、表示部１０９のカラーＬＣＤに、テーブルに対応付けられているファイルIDの画像データファイルを表示する（S204）。次に検索処理を終了するかどうかを判断し（S205）、検索終了でない場合には次のファイルに移行する（S206）。検索終了の場合にはファイル検索モードを抜けて終了する。
【００３５】
図５は、メモリカード保存処理を示すフローチャート（図２）、ファイル検索処理を示すフローチャート（図３）の中に記載されているテーブルの例である。
【００３６】
テーブルは、ハードディスクに保存されている画像データファイルのファイルIDと入力デバイス情報を対応付けてハードディスク１２０上に確保された領域に保存したテーブルの概念図である。
【００３７】
このように、本発明の実施例において、入力部から入力された画像データがどの入力部から入力されたかの入力デバイス情報を画像データファイルに対応付けてハードディスクに保存し、保存された画像データファイルを検索する際に、入力デバイス情報を入力してこれを検索情報として検索を行うことを可能とし、また、前記検索手段によって検索された画像データファイルを前記表示手段によって順次表示することを可能とすることで、保存されたハードディスク内の膨大な画像データファイルから所望の画像データファイルを検索する方法として、入力機器、入力デバイスの情報のような明確かつ簡単なキーワードで検索を可能とすることで、ユーザーの操作性、利便性を向上させることでMFPの操作性を向上させること可能とする。
【図面の簡単な説明】
【００３８】
【図１】本発明を適用したMFP装置の概略構成を示すブロック図である。
【図２】本発明を適用したMFP装置の操作部の外観を示す図である。
【図３】メモリカード保存処理を示すフローチャートである。
【図４】ファイル検索処理を示すフローチャートである。
【図５】ファイルIDと入力デバイス情報を格納したテーブルの概念図である。
【符号の説明】
【００３９】
１００  MFP装置
１０１  ＣＰＵ
１０２  ＲＯＭ
１０３  ＲＡＭ
１０４  画像メモリ
１０５  データ変換部
１０６  読取制御部
１０７  読取部
１０８  操作部
１０９  表示部
１１０  通信制御部
１１１  解像度変換処理部
１１２  符号復号化処理部
１１３  記録制御部
１１４  記録部
１１５  ＵＳＢファンクション制御部
１１６  ＵＳＢホスト制御部
１１７  メモリカードスロット
１１８  メモリカード制御部
１２０  ハードディスク
１２１  ＣＰＵバス
１３１  通信回線
５０２  メニューキー
５０３  スタートキー
５０４  キャンセルキー
５０５  決定キー
５０６  上下左右方向キー
５０７  モードキー
【図１】
2007074543.tif 000003
【図２】
2007074543.tif 000004
【図３】
2007074543.tif 000005
【図４】
2007074543.tif 000006
【図５】
2007074543.tif 000007